(57)【要約】      （修正有）【課題】効率的に開き、開放及び着用がより容易な個人用呼吸保護デバイスを提供する。【解決手段】個人用呼吸保護デバイスは、上側パネル（１８）と、中央パネルと、下側パネル（２０）とを備え、中央パネルは、それぞれ第１及び第２の折り目、継ぎ目、溶接部、又は結合部によって上側及び下側パネル（１８、２０）のそれぞれから分離されて、デバイスを収納のために第１及び第２の折り目、継ぎ目、溶接部、又は結合部に沿って平坦に折り畳み、使用時に開いて着用者の鼻及び口を覆うカップ形の空気チャンバを形成することができるようになっており、下側パネル（２０）は、下側パネル（２０）の外面の内側部分に取り付けられた把持可能なタブを有し、このタブは、使用時にデバイスを開くために把持することができる。【選択図】図４
2019031771.tif 000002
【特許請求の範囲】
【請求項１】
上側パネルと、
中央パネルと、
下側パネルと、を備える個人用呼吸保護デバイスであって、
前記中央パネルが、それぞれ第１及び第２の折り目、継ぎ目、溶接部、又は結合部によって前記上側及び下側パネルのそれぞれから分離されて、前記デバイスを収納のために前記第１及び第２の折り目、継ぎ目、溶接部又は結合部に沿って平坦に折り畳み、使用時に開いて着用者の鼻及び口を覆うカップ形の空気チャンバを形成することができるようになっており、
前記下側パネルが、前記下側パネルの外面の内側部分に取り付けられた把持可能なタブを有し、前記タブは、使用時に前記デバイスを開くために把持することができる、個人用呼吸保護デバイス。
【請求項２】
前記下側パネルが、収納されるときの収納用の横方向の折り目を有し、前記折り目が内部部分を通って延在し、前記タブが、前記収納用の横方向の折り目に近接した位置で前記下側パネルに取り付けられた、請求項１に記載の個人用呼吸保護デバイス。
【請求項３】
前記把持可能なタブが、前記横方向の折り目より上又は下の１０ｍｍの範囲内に置かれた、請求項２に記載の個人用呼吸保護デバイス。
【請求項４】
前記把持可能なタブが、前記横方向の折り目の上に置かれた、請求項１、２又は３に記載の個人用呼吸保護デバイス。
【請求項５】
前記把持可能なタブの幅が、前記下側パネルへの取り付け点において１０ｍｍ〜４０ｍｍ、好ましくは１５ｍｍである、請求項１〜４のいずれか一項に記載の個人用呼吸保護デバイス。
【請求項６】
前記把持可能なタブが、前記デバイスの長手方向中心線上に置かれた、請求項５に記載の個人用呼吸保護デバイス。
【請求項７】
前記デバイスが折り畳まれているとき、前記タブの少なくとも一部が使用者に見えるようになっている、請求項１〜６のいずれか一項に記載の個人用呼吸保護デバイス。
【請求項８】
前記下側パネルが、前記第２の折り目、継ぎ目、溶接部又は結合部と、前記下側パネルの下側外周部と、の間のほぼ等距離の位置に前記横方向の折り目を形成するように折り畳まれた、請求項２に記載の個人用呼吸保護デバイス。
【請求項９】
前記デバイスが、第１の内側カバーウェブと、帯電しているマイクロ繊維を含有するウェブを含む濾過層と、第２の外側カバーウェブと、を含む多層構造を有し、前記第１及び第２のカバーウェブが、それぞれ前記濾過層の第１及び第２の反対にある側に配置され、前記第２のカバーウェブに、鼻に適合する要素が取り付けられた、請求項１〜８のいずれか一項に記載の個人用呼吸保護デバイス。
【請求項１０】
前記中央パネルに固定された、弾性的に適合するヘッドバンドを更に備える、請求項１〜９のいずれか一項に記載の個人用呼吸保護デバイス。
【請求項１１】
前記ヘッドバンドが、前記デバイスが折り畳まれているとき、前記中央パネルに向かって前記タブの前方に置かれた、請求項２に従属するときの請求項１０に記載の個人用呼吸保護デバイス。
【請求項１２】
前記中央パネルの上に配置された呼気弁を更に備える、請求項１〜１１のいずれか一項に記載の個人用呼吸保護デバイス。
【請求項１３】
前記弁が、前記使用者が把持できる把持領域を有し、前記把持領域が、前記デバイスの開放及び着用の間、前記弁を把持すべきことを前記使用者に示すように構成された、請求項１２に記載の個人用呼吸保護デバイス。
【発明の詳細な説明】
【技術分野】
【０００１】
本発明は、収納中は平坦に折り畳み、使用中は着用者の口及び鼻を覆うカップ形の空気チャンバを形成することができる、呼吸マスク又はフェイスマスクとして知られている個人用呼吸保護デバイスに関する。
【背景技術】
【０００２】
濾過呼吸マスク又はフェイスマスクは、空気中に浮遊する粒子や、不快な気体又は有害な気体からヒトの呼吸系を保護することが望ましいときに、広範な用途で使用されている。一般的に、そうした呼吸マスク又はフェイスマスクはいくつかの形態をとることができるが、２つの最も一般的なものは、成型されたカップ形の形態、又は平坦に折り畳まれた形態である。平坦に折り畳まれた形態は、必要になるまで着用者のポケットに入れて持ち運べ、着用と着用の間には内側を清潔に保つために再度平坦に折り畳めるという利点がある。
【０００３】
そのような呼吸デバイスとしては、たとえば、呼吸マスク、外科用マスク、クリーンルーム用マスク、フェイスシールド、防塵マスク、ブレスウォーミングマスク（breath warming mask）、及び様々な他のフェイスカバーが挙げられる。
【０００４】
平折り畳み式呼吸マスクは、通常、使用者による吸入の前に空気から浮遊する粒子を除去するシート濾材から形成される。したがって、呼吸マスクの性能は、吸入前に濾材を迂回する空気の流れを最小に抑えることに依存する。迂回する空気の主な経路は、呼吸マスクと使用者の顔との間であることが認識されている。したがって、迂回する空気流を最小に抑えるために、呼吸マスクと顔との間に密接なフィット性を与えることが肝要である。これは、使用者の鼻の領域において特に困難であるが、それは、鼻が顔から突出しており、様々な使用者の鼻のサイズ及び形状に人間工学的なばらつきがあるためである。
【０００５】
平折り畳み式呼吸マスクは、通常、２つ以上のパネルを形成するように折り畳まれた又は連結されたシート濾材から形成される。パネルは、着用プロセスの前又はその間に開かれ、空気チャンバを形成する。息を吐き出す際の呼吸負担を軽減するために、しばしばパネルの１つに呼気弁が設けられる。
【０００６】
呼吸マスクの使用者は、ゴーグル、手袋又は防護服など、他の安全器具も着用していることが一般的である。そのため、呼吸マスクを効率的に着用する使用者の能力が損なわれることがある。それによって、フィット性又は快適さが損なわれるため、呼吸マスクの有効性が低下することがある。
【０００７】
また、着用手順の間に、時々、使用者が呼吸マスクの外縁部を持つことが認識されている。それによって、使用者が呼吸マスクの内表面に触れることになる。このことは、外科的な使用などある特定の環境では不都合である場合がある。
【０００８】
更に、着用前に呼吸マスクを適切に開くことが、着用の容易さ、及び呼吸マスクが適所に置かれた後に着用者が感じる快適さに影響を及ぼすことが認識されている。したがって、呼吸マスクの開放及び着用の容易さを改善する必要性が認められている。同様に、呼吸マスクの着用及び取り外しの間に、呼吸マスクの内表面に手を触れる可能性を低減する必要性が認められている。
【０００９】
本発明の目的は、効率的に開き、開放及び着用がより容易な個人用呼吸保護デバイスを提供することによって、前述の問題を少なくとも軽減することである。
【発明の概要】
【００１０】
したがって、本発明は、上側パネルと、中央パネルと、下側パネルと、を備える個人用呼吸保護デバイスであって、
中央パネルが、それぞれ第１及び第２の折り目、継ぎ目、溶接部、又は結合部によって上側及び下側パネルのそれぞれから分離されて、デバイスを収納のために第１及び第２の折り目、継ぎ目、溶接部、又は結合部に沿って平坦に折り畳み、使用時に開いて着用者の鼻及び口を覆うカップ形の空気チャンバを形成することができるようになっており、
下側パネルが、下側パネルの外面の内側部分に取り付けられた把持可能なタブを有し、このタブは、使用時にデバイスを開くために把持することができる、個人用呼吸保護デバイスを提供する。
【００１１】
有利には、下側パネルに取り付けられた把持可能なタブを設けることによって、使用者が呼吸マスクの内表面と接触することなく呼吸マスクを開くことが可能になる。更に、たとえば下側外周部ではなく下側パネルの内部にタブを置くことによって、下側パネル上のタブの作用点（すなわち、取り付け点）が、前方のパネルに比べて下側パネルの回転軸に近くなるため、呼吸マスクの開放が最適化される。換言すれば、下側パネルの下側外周部が引っ張られるのではなく、下側パネルの内部が下側及び外側に引っ張られるようになる。これによって下側パネルの中央が大きく開き、それによって、使用者の顔によりぴったりと合う空気チャンバが形成される。
【００１２】
好ましくは、下側パネルは、収納されるときの収納用の横方向の折り目を有し、この折り目は内部部分を通って延在し、タブは、収納用の横方向の折り目に近接した位置で下側パネルに取り付けられる。
【００１３】
有利には、この特徴によって、タブが折り目の近くで下側パネルに作用することが可能になる。これは、開くプロセスの間、折り目が下側パネル上の他のどの点よりも長い距離を移動するため有利である。更に、タブが折り目の近くで下側パネルに作用することよって、下側パネルが顔のプロファイルに合う凸形状に開くことが可能になる。
【００１４】
好ましくは、把持可能なタブは、横方向の折り目より上又は下の１０ｍｍの範囲内に置かれる。
【００１５】
好ましくは、把持可能なタブは、横方向の折り目の上に置かれる。
【００１６】
好ましくは、把持可能なタブの幅は、下側パネルへの取り付け点において１０ｍｍ〜４０ｍｍ、好ましくは１５ｍｍである。
【００１７】
有利には、より幅の広いタブを設けることによって、パネル上のタブの作用線の幅が広くなる。これによって、タブがパネルのより広い部分にわたってパネルを引っ張り、広げることが可能になり、このより広い部分によって、下側パネルが着用者の顎先により適切に適合するようになる。
【００１８】
好ましくは、把持可能なタブは、デバイスの長手方向中心線上に置かれる。
【００１９】
有利には、この特徴によって、呼吸マスクが対称に開くことが可能になる。
【００２０】
好ましくは、デバイスが折り畳まれているとき、タブの少なくとも一部が使用者に見えるようになっている。
【００２１】
有利には、この特徴によって、マスクを開くためにタブを把持し、引っ張るべきことが使用者に示される。これによって、使用者が呼吸マスクの内表面に触れる可能性が低減される。
【００２２】
好ましくは、下側パネルは、第２の折り目、継ぎ目、溶接部又は結合部と、下側パネルの下側外周部と、の間のほぼ等距離の位置に横方向の折り目を形成するように折り畳まれる。
【００２３】
好ましくは、デバイスは、第１の内側カバーウェブと、帯電しているマイクロ繊維を含有するウェブを含む濾過層と、第２の外側カバーウェブと、を含む多層構造を有し、第１及び第２のカバーウェブは、それぞれ濾過層の第１及び第２の反対にある側に配置され、第２のカバーウェブに、鼻に適合する要素（nose conforming element）が取り付けられている。
【００２４】
好ましくは、個人用呼吸保護デバイスは、中央パネルに固定された、弾性的に適合するヘッドバンドを備える。
【００２５】
好ましくは、このヘッドバンドは、デバイスが折り畳まれているとき、中央パネルに向かってタブの前方に置かれる。
【００２６】
好ましくは、個人用呼吸保護デバイスは、中央パネルの上に配置された呼気弁を更に備える。
【００２７】
好ましくは、弁は、使用者が把持できる把持領域を有し、この把持領域は、デバイスの開放及び着用の間、弁を把持すべきことを使用者に示すように構成される。
【図面の簡単な説明】
【００２８】
次に、単に例示の目的で本発明を説明する。
【図１】平折り畳み構成の本発明の個人用呼吸保護デバイスの正面図である。
【図２】平折り畳み構成の図１の個人用呼吸保護デバイスの背面図である。
【図３】図２の線ＩＩＩ−ＩＩＩに沿って得られる、図１に示す個人用呼吸保護デバイスの断面図である。
【図４】開いた構成で示された図１の個人用呼吸保護デバイスの正面図である。
【図５】開かれ、すぐに使用できる構成で示された、図１の個人用呼吸保護デバイスの側面図である。
【図６】開いた構成で示された図１の個人用呼吸保護デバイスの背面図である。
【図７】中間的な構成として示された図１の個人用呼吸保護デバイスの断面図であり、開いた構成が、断面ではなく側面図として点線で示されている。
【図８】図１の呼吸マスクの補剛パネルの詳細な上面斜視図である。
【図９】使用者の顔の上で開いた構成で示され、使用者に保持されている、図１の個人用呼吸保護デバイスの正面斜視図である。
【図１０】図１の個人用呼吸マスクの弁の詳細な正面斜視図である。
【図１１】図１の個人用呼吸マスクの弁の代替的実施形態の詳細な正面斜視図である。
【図１２】図２の線ＸＩ−ＸＩに沿って得られ、ヘッドバンドの本体への取り付けを平折り畳み構成のデバイスと共に示す、図１の個人用呼吸保護デバイスの一部の詳細な断面図である。
【図１３】図１２と同様に得られ、ヘッドバンドの本体への取り付けを開いた構成のデバイスと共に示す、図１の個人用呼吸保護デバイスの一部の詳細な断面図である。
【図１４】図１の個人用呼吸保護デバイスのノーズピースの詳細な正面斜視図である。
【００２９】
図１は、全体として１０で示される、呼吸マスク（一般にマスクとも呼ばれる）の形態の個人用呼吸保護デバイスを示している。呼吸マスク１０は、図１〜図３にその収納（平折り畳み又は平坦に折り畳まれたとも理解される）構成で示された平折り畳み式呼吸マスクである。この構成では、呼吸マスクは、使用者のポケットの中に簡単に収納できるように、実質的に平坦である。
【００３０】
呼吸マスク１０は、全体として１２で示される本体、及び２つの部分１４Ａ、１４Ｂで形成されたヘッドバンド１４を有している。本体１２は、中央パネル１６、上側パネル１８及び下側パネル２０を有している。使用時には、上側パネル１８及び下側パネル２０が中央パネル１６から外側に開かれ、（図６に示される）カップ形のチャンバ２２を形成する。開かれた後、次いで呼吸マスクは、すぐ後に更に詳しく説明するように（図９に示されるように）顔に当てられる。
【００３１】
以下で更に詳しく論じるように、呼吸マスク１０は、３つの部分又はパネルを形成するように、多層フィルター材料からなる、折り畳まれ溶接された各部分から形成される。呼吸マスク１０は、第１の内側カバーウェブと、帯電しているマイクロ繊維を含有するウェブを含む濾過層と、第２の外側カバーウェブと、を含む多層構造を有し、第１及び第２のカバーウェブは、それぞれ濾過層の第１及び第２の反対にある側に配置されている。
【００３２】
フィルター材料は、内側若しくは外側のカバー又はスクリムの有無にかかわらず、いくつかの織布及び不織布材料の、単一又は複数の層で構成することができる。好ましくは、中央パネル１６は、たとえば織布若しくは不織布スクリム、接着バー、印刷部又は結合部などの補剛手段を備える。適したフィルター材料の例としては、マイクロ繊維ウェブ、フィブリル化されたフィルムウェブ、織布若しくは不織布ウェブ（たとえば、エアレイド若しくはカード短繊維）、溶液−ブローン繊維ウェブ、又はそれらの組み合わせが挙げられる。そのようなウェブを形成するために有用な繊維としては、たとえば、ポリプロピレン、ポリエチレン、ポリブチレン、ポリ（４−メチル−１−ペンテン）及びそれらのブレンドなどのポリオレフィン、１つ以上のクロロエチレン単位若しくはテトラフルオロエチレン単位を含有し、アクリロニトリル単位も含有し得るものなどのハロゲン置換ポリオレフィン、ポリエステル、ポリカーボネート、ポリウレタン、ロジン−ウール、ガラス、セルロース、又はそれらの組み合わせが挙げられる。
【００３３】
濾過層の繊維は、濾過される微粒子のタイプに応じて選択される。繊維を適切に選択すると、たとえば柔軟性又は湿気の制御を可能にすることによって、着用者にとっての呼吸デバイスの快適さに影響を及ぼすことも可能である。本発明に有用なメルトブローンマイクロ繊維のウェブは、たとえば、Ｉｎｄｕｓｔｒｉａｌ  Ｅｎｇｉｎｅｅｒｉｎｇ  Ｃｈｅｍｉｓｔｒｙ，Ｖｏｌ．４８，１３４２  ｅｔ  ｓｅｑ．（１９５６）におけるＷｅｎｔｅ，Ｖａｎ  Ａ．，「Ｓｕｐｅｒｆｉｎｅ  Ｔｈｅｒｍｏｐｌａｓｔｉｃ  Ｆｉｂｅｒｓ」、及びＶａｎ  Ａ．Ｗｅｎｔｅ  ｅｔ  ａｌ．によって１９５４年５月２５日に「Ｍａｎｕｆａｃｔｕｒｅ  ｏｆ  Ｓｕｐｅｒ  Ｆｉｎｅ  Ｏｒｇａｎｉｃ  Ｆｉｂｅｒｓ」という名称で発行されたＮａｖｅｌ  Ｒｅｓｅａｒｃｈ  Ｌａｂｏｒａｔｏｒｉｅｓのレポート番号４３６４に記載されているように調製することができる。本発明に対して有用な濾材中のブローンマイクロ繊維は、Ｄａｖｉｅｓ，Ｃ．Ｎ．，「Ｔｈｅ  Ｓｅｐａｒａｔｉｏｎ  ｏｆ  Ａｉｒｂｏｒｎｅ  Ｄｕｓｔ  Ｐａｒｔｉｃｌｅｓ」，Ｉｎｓｔｉｔｕｔｉｏｎ  ｏｆ  Ｍｅｃｈａｎｉｃａｌ  Ｅｎｇｉｎｅｅｒｓ，Ｌｏｎｄｏｎ，Ｐｒｏｃｅｅｄｉｎｇｓ  １Ｂ，１９５２に述べられている方法に従って計算すると、好ましくは３〜３０マイクロメートル、より好ましくは約７〜１５マイクロメートルの有効繊維直径を有する。
【００３４】
任意に、濾過層内に短繊維もまた存在してもよい。捲縮された嵩高の短繊維が存在することによって、ブローンマイクロ繊維のみからなるウェブよりも嵩高く弾力のある低密度のウェブが可能になる。媒体中には、好ましくは９０重量パーセント以下、より好ましくは７０重量パーセント以下の短繊維が存在する。短繊維を含有するそのようなウェブが、米国特許第４，１１８，５３１号（Ｈａｕｓｅｒ）に開示されている。
【００３５】
濾過層又は濾材の１つ以上の他の層に、二成分短繊維を使用することもできる。一般的に外層の融点がコア部分より低い二成分短繊維を用いて、繊維の交差点で互いに結合された弾力のある成形層を形成することができるが、それは、たとえば成形層を加熱し、二成分繊維の外層が流動して二成分繊維であるか、又は他の短繊維である隣接した繊維と接触するようにすることによって行われる。成形層は、短繊維と共に含まれる熱流動性ポリエステルのバインダー繊維を用いて調製することもまたでき、成形層の加熱の際に、バインダー繊維は溶融し、流動して繊維の交差点に至り、そこで繊維の交差点を囲む。冷却の際に、繊維の交差点に結合部が生じ、繊維の塊を望ましい形に保持する。また、繊維の結合を行うために、アクリル系ラテックス又は粉末化された熱活性化接着樹脂などのバインダー材料をウェブに塗布することもできる。
【００３６】
米国特許第４，２１５，６８２号（Ｋｕｂｉｋ  ｅｔ  ａｌ．）、米国特許第４，５８８，５３７号（Ｋｌａｓｓｅ  ｅｔ  ａｌ．）などに開示されている、又は分極化若しくは荷電エレクトレットに関する他の従来の方法、たとえば米国特許第４，３７５，７１８号（Ｗａｄｓｗｏｒｔｈ  ｅｔ  ａｌ．）若しくは米国特許第４，５９２，８１５号（Ｎａｋａｏ）のプロセスにより帯電している繊維は、本発明において特に有用である。米国特許第（ＲＥ）３１，２８５号（ｖａｎ  Ｔｕｒｎｈｏｕｔ）に教示されている、帯電し、フィブリル化されたフィルム繊維もまた有用である。一般的に、帯電プロセスは、材料をコロナ放電又はパルス状の高電圧に曝すことを含む。
【００３７】
活性化された炭素又はアルミナなどの吸着微粒子材料もまた濾過層に含めることができる。そうした粒子入りのウェブは、たとえば米国特許第３，９７１，３７３号（Ｂｒａｕｎ）、米国特許第４，１００，３２４号（Ａｎｄｅｒｓｏｎ）及び米国特許第４，４２９，００１号（Ｋｏｌｐｉｎ  ｅｔ  ａｌ．）に記載されている。粒子入りの濾過層からなるマスクは、気体物質からの保護に特に有効である。
【００３８】
本発明の呼吸デバイスの中央パネル１６、上側パネル１８及び下側パネル２０のうちの少なくとも１つは、濾材を含まなければならない。中央パネル１６、上側パネル１８、及び下側パネル２０のうちの少なくとも２つが濾材を含むことが好ましく、中央パネル１６、上側パネル１８、及び下側パネル２０の全てが濾材を含んでもよい。濾材で形成されていない（複数の）部分は、様々な材料で形成することができる。上側パネル１８は、たとえば着用者の眼鏡の曇りを防止する防湿層をもたらす材料で形成することができる。中央パネル１６は、着用者の唇の動きを観察することができるように、透明な材料で形成することもできる。
【００３９】
中央パネル１６は、中央パネル１６と上側部分１８との間の上側結合部２３と同じところに存在する曲線状の上側周縁部２４を有している。曲線状の下側周縁部２６は、中央パネル１６と下側パネル２０との間の下側結合部２５と同じところに存在している。結合部２３、２５は超音波溶接部の形態をとるが、あるいは、フィルター材料の折り目であっても、又は代替的な結合方法によることもできる。そうした代替的な結合は、接着剤結合、ステープル、縫製、熱機械的連結、圧力連結、又は他の適切な手段の形態をとることができ、また断続的でも連続的でもよい。こうした溶接又は結合技術の任意のものによって、結合された領域をある程度補剛又は剛性化した状態にする。
【００４０】
結合部２３、２５は、それぞれ中央パネル１６と上側パネル１８及び下側パネル２０との間に実質的に気密の封止部を形成し、呼吸マスクの長手方向縁部２７まで延在し、そこで中央パネル１６、上側パネル１８、及び下側パネル２０が、全体としてラグ３１、３３の形態のヘッドバンド取り付け部分を形成する。中央パネル１６には、使用者が息を吐き出すときのフィルター材料全体にわたる圧力低下を軽減する呼気弁２８が付いている。弁２８は、以下に更に詳しく説明するように、呼吸マスクの開放、着用及び取り外しを容易にする把持部分２９を有している。
【００４１】
上側部分１８には、ノーズピース３０の形態の鼻に適合する要素が付いており、ノーズピース３０は、使用者の顔に適合して呼吸マスク１０と使用者の顔との間に形成される封止部を改善する。ノーズピース３０は、上側部分１８の上側外周部３８の中央に配置され、図３に断面で、図１４に更に詳しく示されている。ノーズピースは、ノーズピース３０に対して上側パネル１８の反対側に位置する図７に示すノーズパッド３５と共に動作し、鼻と上側パネル１８との間の接触点を柔らかくする目的を果たす。
【００４２】
次に図３を参照すると、その収納構成における呼吸マスク１０の各特徴の配置が更に詳しく示されている。ノーズピース３０は、上側部分１８の外面上に置かれた状態で示されている。上側部分１８は、折り畳まれた呼吸マスク１０の後方側に示され、下側パネル２０と重なりあっている。下側パネル２０は、横方向の折り目３６（図２では長い点線として示す）の周りで折り畳まれている。横方向の折り目３６は、下側パネル２０を外側部分４０と内側部分４２に分割する。以下で更に詳しく説明するように、下側パネル２０には、呼吸マスクの開放及び着用を助けるタブ３２が取り付けられている。タブ３２は基部を有し、基部は、横方向の折り目３６に近接した位置で、外面の下側パネル２０の内部（すなわち、（図６に示す）下側外周部５０及び下側結合部２５の内側）に取り付けられ、理想的には図３に示すように折り目３６に取り付けられる。タブ３２の位置は、横方向の折り目の両側で１０ｍｍの範囲内で変わってもよい。下側パネル２０への取り付け点におけるタブ３２の幅は１５ｍｍであるが、この幅は１０〜４０ｍｍの間で変わってもよい。
【００４３】
図４、図５、及び図６は、開いた構成における呼吸マスク１０を示している。中央パネル１６は、もはや図１〜図３に示すように平坦ではなく、ここでは、弁２８からラグ３１、３３に向かって後方へ湾曲している。この曲線の形状は、使用者の顔の口の領域にほぼ適合する。上側部分１８は、曲線状の上側周縁部２４を中心として旋回し、湾曲して使用者の鼻の形状に合った突出部を形成する。同様に、下側パネル２０は、曲線状の下側周縁部２４を中心として旋回し、湾曲して使用者の首の形状に合った曲線を形成する。
【００４４】
次に、図１〜図３に示す折り畳まれた構成と、図４〜図６に示す開いた構成との間の呼吸マスク１０の開放について、図７を参照して更に詳しく説明する。
【００４５】
図７は、図３と同じ線に沿って切断した呼吸マスク１０の断面を示しているが、呼吸マスクは中間的な構成で示されている。比較のために、開いた構成の呼吸マスクを点線で示している。
【００４６】
呼吸マスクを開き、着用するために、使用者はまず、弁２８の把持部分２９を把持する（図９参照）。使用者は、他方の手を用いてタブ３２をつかみ、開く力を横方向の折り目３６の谷側に加えるために、図７に示すようにタブ３２を方向Ａに引っ張る。タブは、把持を改善するためにテクスチャーを付けること、又は呼吸マスクの本体から区別しやすくするために着色することができる。この開く力によって、折り目３６が中央パネル１６に対して後方及び下方に動く。これによって、下側パネル２０が曲線状の下側周縁部２４を中心として旋回する。同時に、負荷がタブ３２の基部からラグ３１、３３へ伝えられる。これによってラグ３１、３３が内側に引っ張られ、中央パネル１６が湾曲する。中央パネル１６が曲がることによって、負荷が（主にラグ３１、３３を介して）次に上側部分１８に加えられる。これによって、図６及び図７に示すように、上側部分１８の長手方向中心部が持ち上げられる。
【００４７】
使用者が図７に示す中間位置を超えてタブ３２を引っ張り続けると、中央パネル１６がますます湾曲するにつれて、ラグ３１、３３は互いに近付くように動き続ける。これによって、開いた位置（図７の点線）に向かう上側部分１８の上向きの動き、及び下側パネル２０の下向きの動きが継続する。このように、タブ３２は、使用者が呼吸マスク１０を開くために加える負荷を最も有効かつ効率的に配置して呼吸マスク１０を開くことを保証することによって、呼吸マスクを開く機構を改善する。
【００４８】
下側パネル２０は、（長い点線で示す）パネル４０の形態の補剛シートを含むように示されている。補剛パネル４０は多層フィルター材料の一部を形成し、その補剛特性が当該技術分野においてよく知られている材料から形成される。補剛パネル４０は、ほぼ砂時計の形状であり、図８には更に詳しく、第１の対の翼状部４２、くびれ部４４、第２の対の翼状部４６及び前部４８を含むように示されている。前部４８は、下側パネル２０の（図６に示す）下側外周部５０と同じところに存在し、くびれ部は横方向の折り目３６と同じところに存在する。呼吸マスク１０が折り畳まれた構成にあるとき、補剛パネル４０は、線Ｂ−Ｂで示される横方向の折り目に沿って折り畳まれている。前述のように呼吸マスク１０が折り畳まれた位置から開くと、補剛パネル４０は、横方向の折り線Ｂ−Ｂの周りで広がる。呼吸マスクが（図４〜図６に示す）開いた構成に近付くと、横方向の折り線Ｂ−Ｂに沿った折り目が平らになり、補剛パネルは、線Ｃ−Ｃで示される長手方向の折り目の周りで湾曲する。パネル４０が長手方向の折り線Ｃ−Ｃに沿って湾曲すると、横方向の折り線Ｂ−Ｂの周りでは折り畳まれなくなり、それにより、補剛パネル４０に、したがって下側パネル２０に、更なる剛性が与えられる。この更なる剛性は、少なくとも一部には、呼吸マスク１０が開いて凹状の外角から凸状の外角になると、補剛シート４０が長手方向の折り線Ｃ−Ｃの周りで折れることによって付与され、すなわち、折り目が長手方向の折り線Ｃ−Ｃの周りでオーバーセンターに達すると、山形の折り目が形成される。このことは、次に、下側パネル２０の潰れを防止することを助け、したがって、下側パネル２０の顔の顎先領域への適合性を改善する。
【００４９】
呼吸マスク１０が開くと、使用者は、呼吸マスクを着用するために、呼吸マスクの開いたカップ形の空気チャンバを顔の上に置き、ヘッドバンドを図９に示すように置くことができる。
【００５０】
呼吸マスク１０をより簡単に着用し、取り外すために、呼吸マスクは、図１０に更に詳しく示す把持部分２９を有する弁２８を備えている。弁２８は、商品名３Ｍ（商標）Ｓｃｏｔｃｈ−Ｗｅｌｄ（商標）Ｈｏｔ  Ｍｅｌｔ  Ｓｐｒａｙ  Ａｄｈｅｓｉｖｅ  ６１１１３Ｍ（商標）として市販されているものなど、接着剤を用いて中央部分に接着させる。弁２８は側壁５１を有し、側壁５１は、吐き出された空気が弁２８を通過できるように開口５２を含む。側壁５１は、内側に延在する中央部分、並びに外側に延在する基部５４及び上側部分５６を備えた湾曲した形状を有している。弁２８のトップ面５８には上側に延在する隆起部６０が配置され、隆起部６０には、外側に延在するリブ６２が付いている。
【００５１】
湾曲した側壁５１は、湾曲部が使用者の指の曲率に合うため、把持領域２９として働く。把持領域の性能は、把持領域を拡張する隆起部６０を設けることによって改善される。把持領域２９の把持及び保持を更に容易にするリブ６２を設けることによって、性能が更に改善される。湾曲した側壁５１、隆起部６０、リブ６２は、個々にまた全体として、前述のように呼吸マスクを開いて着用するために把持領域２９を把持すべきことを使用者に示す印を形成する。
【００５２】
図１０は、より高い隆起部６０’を有している点において弁２８と異なる弁２８’の代替的実施形態を示している。たとえば、側壁５０、隆起部６０及び／又はリブ６２に対するテクスチャー付きの又は着色した面など、把持領域の他の形態が使用者への印として働くことが可能であることも、本発明の範囲内であると考えられる。
【００５３】
そうした把持可能な弁２８、２８’を３つのパネル（中央、上側及び下側パネル２０）の平折り畳み式呼吸マスク１０に関連して記載しているが、弁２８、２８’は、カップ式呼吸マスクを含む他の呼吸マスクにも等しく適用可能であることが理解されるであろう。
【００５４】
次に図１１及び図１２を参照すると、ヘッドバンド１４のヘッドバンド取り付けラグ３１、３３への取り付けが、更に詳しく示されている。ヘッドバンド１４は、全体として７０で示されるヘッドバンドモジュールによって本体１２に取り付けられる。モジュール７０はヘッドバンド１４を有し、ヘッドバンド１４は、その上側側面で上側タブ７２に、その下側側面で下側タブ７４に結合される。タブ７２、７４は、前述のフィルター材料を形成するのに用いた不織布材料で形成される。不織布材料のタブ７２、７４は、商品名３Ｍ（商標）Ｓｃｏｔｃｈ−Ｗｅｌｄ（商標）Ｈｏｔ  Ｍｅｌｔ  Ｓｐｒａｙ  Ａｄｈｅｓｉｖｅ  ６１１１として市販されているものなど、既知の接着剤７８を用いてヘッドバンド１４に結合される。
【００５５】
次いで、モジュール７０がラグ３１、３３に超音波溶接され、下側タブ７４と本体１２との間に溶接部７６が形成される。
【００５６】
図１１には、呼吸マスクが折り畳まれた位置にある状態でのヘッドバンドモジュールが示されている。呼吸マスク１０が開くと、ヘッドバンドは伸ばされた状態になり、ラグ３１、３３を外側へ引っ張る。
【００５７】
図１２には、呼吸マスクが開いた位置にある状態でのヘッドバンドモジュールが示されている。ヘッドバンド１４の伸長によってモジュール７０が湾曲し、それによって、下側タブ７４が引っ張られた状態で保持されるようになる。これによって、下側タブ７４とラグ３１、３３の交点Ｄに高い負荷が作用する。しかしながら、溶接部７６は剥離モードにおいて比較的強い（すなわち、ヘッドバンドの伸長によって、溶接部の縁部の点Ｄに極端な引張負荷が加えられる）。これによって、接着剤よりもはるかに剥離に強い溶接部ではなく、接着剤結合部を剥離モードに置く従来技術の取り付け手法に比べて改善がもたらされる。
【００５８】
次に図１４を参照すると、弾性的に可撓性のある中心部分８０、並びに中心部分８０から外側に延在する第１及び第２の剛性の外側部分８２を有するノーズピース３０が更に詳しく示されている。呼吸マスクが平折り畳み構成であるとき、中心部分８０は実質的に平坦である。中心部分８０は、だいたい幅２０ｍｍ、深さ８ｍｍである。外側部分８０のそれぞれは、外側に延在する長軸Ｘ及び上側に延在する短軸Ｚを有する凹状の楕円形の窪みを画定する翼状部を有している。楕円形の窪みそれぞれが、全体として８４で示され、ノーズピース３０の中心線と、翼状部の外縁部８６と、の間のほぼ等距離に置かれた最下点を有し、この最下点は、ノーズピース３０の中心線から２６ｍｍのところに位置している。楕円形の窪みは外側部分８２に剛性を与え、一方、平坦な中心部分８０は負荷を受けて撓曲することができる。これによって、中心部分８０が使用者の鼻梁の上で撓曲することが可能になると同時に、外側部分８２の剛性、及び剛性部分の湾曲したプロファイルがもたらす可変の接触点によって、呼吸マスクと使用者の頬との間に密接なフィット性がもたらされる。したがって、ノーズピース３０のこうした特徴によって、呼吸マスク１０のフィット性及び快適さが従来技術の呼吸マスクよりも改善される。
【００５９】
ノーズピース３０は、ポリエチレンなどのポリマー材料を用いた既知の真空キャスティング技術を用いて形成される。そうした材料は、中心部分８０に必要とされる可撓性を与えると同時に、外側部分８２に必要な剛性を与えるのに十分な強度を有する。そうした材料はまた、ノーズピースがその平坦な位置に戻ることも可能にし、それによって、ノーズピースを平坦にすることを要せずに、呼吸マスク１０を取り外し、使用者のポケットに入れることが可能になる。
【００６０】
本明細書に記載されたある特定の特徴は、本発明の利益のために単独で又は共に使用することが可能であることが理解されるであろう。たとえば、以下の特徴のうちの任意の１つ以上を本発明と有利に組み合わせることが可能であることが想定される。
把持可能な弁２８
補剛パネル  ４０
ヘッドバンド取り付けモジュール  ７０
ノーズピース  ３０
【図１】
2019031771.tif 000003
【図２】
2019031771.tif 000004
【図３】
2019031771.tif 000005
【図４】
2019031771.tif 000006
【図５】
2019031771.tif 000007
【図６】
2019031771.tif 000008
【図７】
2019031771.tif 000009
【図８】
2019031771.tif 000010
【図９】
2019031771.tif 000011
【図１０】
2019031771.tif 000012
【図１１】
2019031771.tif 000013
【図１２】
2019031771.tif 000014
【図１３】
2019031771.tif 000015
【図１４】
2019031771.tif 000016
【手続補正書】
【提出日】平成30年10月19日(2018.10.19)
【手続補正１】
【補正対象書類名】明細書
【補正対象項目名】００６０
【補正方法】変更
【補正の内容】
【００６０】
本明細書に記載されたある特定の特徴は、本発明の利益のために単独で又は共に使用することが可能であることが理解されるであろう。たとえば、以下の特徴のうちの任意の１つ以上を本発明と有利に組み合わせることが可能であることが想定される。
把持可能な弁２８
補剛パネル  ４０
ヘッドバンド取り付けモジュール  ７０
ノーズピース  ３０
以下、本発明の態様を説明する。
〔態様１〕
上側パネルと、
中央パネルと、
下側パネルと、を備える個人用呼吸保護デバイスであって、
前記中央パネルが、それぞれ第１及び第２の折り目、継ぎ目、溶接部、又は結合部によって前記上側及び下側パネルのそれぞれから分離されて、前記デバイスを収納のために前記第１及び第２の折り目、継ぎ目、溶接部又は結合部に沿って平坦に折り畳み、使用時に開いて着用者の鼻及び口を覆うカップ形の空気チャンバを形成することができるようになっており、
前記下側パネルが、前記下側パネルの外面の内側部分に取り付けられた把持可能なタブを有し、前記タブは、使用時に前記デバイスを開くために把持することができる、個人用呼吸保護デバイス。
〔態様２〕
前記下側パネルが、収納されるときの収納用の横方向の折り目を有し、前記折り目が内部部分を通って延在し、前記タブが、前記収納用の横方向の折り目に近接した位置で前記下側パネルに取り付けられた、態様１に記載の個人用呼吸保護デバイス。
〔態様３〕
前記把持可能なタブが、前記横方向の折り目より上又は下の１０ｍｍの範囲内に置かれた、態様２に記載の個人用呼吸保護デバイス。
〔態様４〕
前記把持可能なタブが、前記横方向の折り目の上に置かれた、態様１、２又は３に記載の個人用呼吸保護デバイス。
〔態様５〕
前記把持可能なタブの幅が、前記下側パネルへの取り付け点において１０ｍｍ〜４０ｍｍ、好ましくは１５ｍｍである、態様１〜４のいずれか一項に記載の個人用呼吸保護デバイス。
〔態様６〕
前記把持可能なタブが、前記デバイスの長手方向中心線上に置かれた、態様５に記載の個人用呼吸保護デバイス。
〔態様７〕
前記デバイスが折り畳まれているとき、前記タブの少なくとも一部が使用者に見えるようになっている、態様１〜６のいずれか一項に記載の個人用呼吸保護デバイス。
〔態様８〕
前記下側パネルが、前記第２の折り目、継ぎ目、溶接部又は結合部と、前記下側パネルの下側外周部と、の間のほぼ等距離の位置に前記横方向の折り目を形成するように折り畳まれた、態様２に記載の個人用呼吸保護デバイス。
〔態様９〕
前記デバイスが、第１の内側カバーウェブと、帯電しているマイクロ繊維を含有するウェブを含む濾過層と、第２の外側カバーウェブと、を含む多層構造を有し、前記第１及び第２のカバーウェブが、それぞれ前記濾過層の第１及び第２の反対にある側に配置され、前記第２のカバーウェブに、鼻に適合する要素が取り付けられた、態様１〜８のいずれか一項に記載の個人用呼吸保護デバイス。
〔態様１０〕
前記中央パネルに固定された、弾性的に適合するヘッドバンドを更に備える、態様１〜９のいずれか一項に記載の個人用呼吸保護デバイス。
〔態様１１〕
前記ヘッドバンドが、前記デバイスが折り畳まれているとき、前記中央パネルに向かって前記タブの前方に置かれた、態様２に従属するときの態様１０に記載の個人用呼吸保護デバイス。
〔態様１２〕
前記中央パネルの上に配置された呼気弁を更に備える、態様１〜１１のいずれか一項に記載の個人用呼吸保護デバイス。
〔態様１３〕
前記弁が、前記使用者が把持できる把持領域を有し、前記把持領域が、前記デバイスの開放及び着用の間、前記弁を把持すべきことを前記使用者に示すように構成された、態様１２に記載の個人用呼吸保護デバイス。
【手続補正２】
【補正対象書類名】特許請求の範囲
【補正対象項目名】全文
【補正方法】変更
【補正の内容】
【特許請求の範囲】
【請求項１】
上側パネルと、
中央パネルと、
下側パネルと、を備える個人用呼吸保護デバイスであって、
前記中央パネルが、それぞれ第１及び第２の折り目、継ぎ目、溶接部、又は結合部によって前記上側及び下側パネルのそれぞれから分離されて、前記デバイスを収納のために前記第１及び第２の折り目、継ぎ目、溶接部又は結合部に沿って平坦に折り畳み、使用時に開いて着用者の鼻及び口を覆うカップ形の空気チャンバを形成することができるようになっており、
前記下側パネルが、前記下側パネルの外面の内側部分に取り付けられた把持可能なタブを有し、前記タブは、使用時に前記デバイスを開くために把持することができる、個人用呼吸保護デバイス。
【外国語明細書】
2019031771000001.pdf